(57)【要約】【課題】従来の根かせでは埋設不可能な角地等の特殊な場所でも埋設可能であると共に、柱状体の建柱作業又は撤去、交換のための抜柱作業にあたり、根かせを固定したままでの作業の簡略化、短時間化を可能とした、根かせ、柱状体と根かせとの固定装置を提供することを課題とする。【解決手段】根かせ２は、棒体状であって、その基端側の面は柱状体１側を向いていると共にその先端は柱状体１から離れた位置となるように配置される根かせ本体３と、この根かせ本体３が柱状体１の軸方向に沿って揺動するように装着される保持部材４とを有して構成され、この保持部材４は、その切欠き溝１２にて固定装置１５のプレート状部１７及び突出部１８に装着され、このうちのプレート状部１７と螺合されることで、かかる固定装置１５を介して柱状体１に固定される構成となっている。【選択図】図１
2009197463.tif 000002
【特許請求の範囲】
【請求項１】
棒状体を成し、その長手方向の一方側の端面が立設した柱状体の側面と対峙すると共にこの長手方向の一方側端とは反対側端が前記柱状体から相対的に離れた位置にある根かせ本体と、
この根かせ本体に対し前記柱状体の軸方向に沿った方向のうち地表側に位置する上壁部及び前記根かせに対し前記柱状体の径方向の両側に位置する側壁部から成る保持部材とから構成され、
前記根かせ本体の一方端側部位を前記保持部材の側壁部の双方に回転可能に連結させることにより、前記根かせ本体を前記柱状体の軸方向に沿って前記上壁部に突当する位置から前記柱状体の軸方向に沿った位置までの範囲で揺動可能とし、
前記保持部材の上壁部に貫通孔を形成すると共に前記保持部材の側壁部に前記柱状体側に開口した切欠きを形成して、この切欠きの周縁部分にガイド部を有していることを特徴とした根かせ。
【請求項２】
前記保持部材の側壁部に複数の貫通孔を形成し、これらのうちの所望の貫通孔に係止部材を挿通させて前記根かせ本体側に突出させることにより、前記根かせ本体の揺動範囲を規制することを特徴とした請求項１に記載の根かせ。
【請求項３】
円弧状のプレート状部とこのプレート状部に対し内周側縁より相対的に離れた位置から突出した突出部とから成る複数の構成部品を組み合わせて構成されて請求項１に記載の側壁部の切欠き内に装着可能な外形状を成す環状体であり、前記柱状体の側面の全周と突当すると共に前記根かせの上壁部に形成された貫通孔と連通可能な複数の貫通孔が形成されていることを特徴とする柱状体と根かせとの固定装置。
【発明の詳細な説明】
【技術分野】
【０００１】
この発明は、電柱等の柱状体を建柱する際に、この柱状体が沈下、傾倒、回転等するのを防止するために、地中においてこの柱状体を支持する根かせ、及びこの根かせと電柱等の柱状体とを固定するための固定装置の構造に関するものである。
【背景技術】
【０００２】
従来の、例えば電柱と当接した際に、その当接面と沿って且つ電柱の径方向に沿って当該電柱の径方向の両側に延びる２つの支持部を有する構造である、特許文献１に記載の根かせに対し、支持部を一方側のみとして、基部より支持部の先端までの長手方向に沿った寸法を相対的に短縮化することにより、これまで物理的、法的に困難とされてきた場所でも、電柱等に装着して埋設することを図った根かせについては、例えば特許文献２に示されるように公知である。
【特許文献１】実開平５−１６８４１号公報
【特許文献２】特開２００６−１２５０２１号公報
【発明の開示】
【発明が解決しようとする課題】
【０００３】
これに対し、特許文献２に示す構造の根かせにおいても、電柱と当接した際に、その当接面と沿って且つ電柱の径方向に沿って当該電柱よりも外側まで延出した単一の支持部を有する構造となっている。このため、２つのブロック塀で囲まれた敷地の隅となる領域や、２辺の擁壁に囲まれた角となる領域等の、所定の人工構造物・設備で囲まれた狭い場所に電柱を配置しようとしても、この電柱を支持するための根かせを埋設する際に、この支持部の延出方向端が塀の地中部や擁壁の内側面に当たるため、ブロック塀や擁壁からある程度の距離を確保する必要性が生ずる。従って、２つのブロック塀の隅や２辺の擁壁の角に対しギリギリの位置で電柱等の柱状体を設置することができないことが考えられる。
【０００４】
また、特許文献１及び特許文献２に示される根かせの構造では、電柱の撤去、交換のために電柱に根かせを固定したまま当該電柱を地中から抜く作業の際に、電柱に対しその径方向に沿って延出した根かせの延出部が抵抗となって、電柱の抜柱作業が困難となることが懸念される。すなわち、例えば電柱の周囲を大きく掘ったり、根かせを先に電柱から取り外す作業が必要となったりする場合もあるので、電柱の撤去、交換作業が煩雑化、長時間化することが想定される。
【０００５】
そこで、本発明は、従来の根かせでは埋設不可能な角地等の特殊な場所でも埋設することができると共に、柱状体の建柱作業又は撤去、交換のための抜柱作業にあたり、根かせを固定したままでの作業の簡略化、短時間化を図った根かせ、及びこの根かせと柱状体との固定装置を提供することを目的とする。
【課題を解決するための手段】
【０００６】
この発明に係る根かせは、棒状体を成し、その長手方向の一方側の端面が立設した柱状体の側面と対峙すると共にこの長手方向の一方側端とは反対側端が前記柱状体から相対的に離れた位置にある根かせ本体と、この根かせ本体に対し前記柱状体の軸方向に沿った方向のうち地表側に位置する上壁部及び前記根かせに対し前記柱状体の径方向の両側に位置する側壁部から成る保持部材とから構成され、前記根かせ本体の一方端側部位を前記保持部材の側壁部の双方に回転可能に連結させることにより、前記根かせ本体を前記柱状体の軸方向に沿って前記上壁部に突当する位置から前記柱状体の軸方向に沿った位置までの範囲で揺動可能とし、前記保持部材の上壁部に貫通孔を形成すると共に前記保持部材の側壁部に前記柱状体側に開口した切欠きを形成して、この切欠きの周縁部分にガイド部を有していることを特徴としている（請求項１）。そして、この発明に係る根かせは、前記保持部材の側壁部に複数の貫通孔を形成し、これらのうちの所望の貫通孔に係止部材を挿通させて前記根かせ本体側に突出させることにより、前記根かせ本体の揺動範囲を規制することが可能なものとなっている（請求項２）。ここで、柱状体としては、例えばコンクリート製電柱等の電柱が挙げられるが、道路標識柱、街灯用柱等であっても良い。これは、下記に示す柱状体においても同様である。
【０００７】
これにより、柱状体の円周に接し且つ根かせの根かせ本体の延出方向に沿った仮想線を、柱状体を挟む形で引いた場合でも、この仮想線に対し柱状体とは反対側に出る部位を根かせは有しないことから、根かせが柱状体に固定された態様は、柱状体の直径の範囲内に収められる。これに伴い、２つのブロック塀で囲まれた角地や、２辺の擁壁に囲まれた角地などの狭い場所でも、根かせを２つのブロック塀若しくは２辺の擁壁の角に近接して埋設させることができる。
【０００８】
また、根かせの根かせ本体は、前記根かせ本体を前記柱状体の軸方向に沿って前記上壁部に突当する位置から前記柱状体の軸方向に沿った位置までの範囲で揺動可能であることから、柱状体の軸方向に対し直角方向となるように仮想線を引いた場合に、根かせ本体の長手方向の先端部が基端部に対しこの仮想線よりも下方となるように、根かせ本体に対し角度を付けた状態とすることが可能であり、これにより柱状体を沈下させる際の土質係数を相対的に上げたり、柱状体を抜柱する際に根かせ本体が抵抗となるのを減少させたりすることができる。
【０００９】
この発明に係る柱状体と根かせとの固定装置は、円弧状のプレート状部とこのプレート状部に対し内周側縁より相対的に離れた位置から突出した突出部とから成る複数の構成部品を組み合わせて構成されて請求項１に記載の側壁部の切欠き内に装着可能な外形状を成す環状体であり、前記柱状体の側面の全周と突当すると共に前記根かせの上壁部に形成された貫通孔と連通可能な複数の貫通孔が形成されていることを特徴としている（請求項３）。
【００１０】
このような柱状体と根かせとの固定装置の構成としたことにより、根かせの切欠き内に固定装置の環状体が装着された状態として、この固定装置を柱状体に対しその側面全周に突当するように固定した後、根かせについては固定装置の環状体に沿って所望の位置まで移動させて、環状体の貫通孔と根かせの保持部材の上壁部に設けられた貫通孔とを連通してこれに固定部材を挿通させることで、固定装置に固定することができる。しかも、根かせは、この固定装置の環状体に対し複数にわたって装着することができる。
【発明の効果】
【００１１】
以上のように、これらの発明によれば、電柱等の柱状体の円周に接し且つ根かせの根かせ本体の延出方向に沿った仮想線を引いた場合でも、この仮想線に対し柱状体とは反対側に出る部位を根かせは有しないので、電柱等の柱状体の建柱位置が、ブロック塀、擁壁等の人工構造物・設備との間に当該柱状体の直径寸法と同じ程度の寸法しか採れない場合でも、根かせを埋設させることができ、これに伴って、２つのブロック塀で囲まれた角地や、２辺の擁壁に囲まれた角地などの狭い場所でも、根かせを２つのブロック塀若しくは２辺の擁壁の角に近接して埋設させることが可能となる。
【００１２】
しかも、柱状体の軸方向に対し直角方向となるように仮想線を引いた場合に、根かせ本体の長手方向の先端部が基端部に対しこの仮想線よりも下方となるように、根かせ本体に対し角度を付けた状態とすることが可能であるから、これにより柱状体を沈下させる際の土質係数を上げたり、柱状体を抜柱する際に根かせ本体が抵抗となるのを減少させたりすることができるので、建柱作業や抜柱作業の簡便化、迅速化を図ることができる。
【００１３】
特に請求項３に記載の発明によれば、根かせの切欠き内に固定装置の環状体が装着された状態として、この固定装置を柱状体に対しその側面全周に突当するように固定した後、根かせは固定装置の環状体に沿って所望の位置まで移動させ、環状体の貫通孔と根かせの保持部材の上壁部に設けられた貫通孔とを連通してこれに固定部材を挿通させることで固定装置に固定することができるため、根かせが固定装置を介して柱状体に仮固定された後でも、根かせ本体を変更することができるので、柱状体の埋設作業の確実化、やりなおしの防止を図ることができる。また、複数の根かせを固定装置に固定する場合には、根かせ間のバランス等のための間隔の調整についても、根かせを固定装置に装着した後に採ることができる。
【００１４】
そして、請求項３に記載の発明によれば、柱状体を埋設する場所の地質が軟弱な場合には、根かせを固定装置に対し複数にわたって装着することで対応することができるので、柱状体の埋設可能な場所の拡大を図ることが可能である。
【発明を実施するための最良の形態】
【００１５】
以下、この発明の実施形態の一例を、図面に基づいて説明する。尚、この実施例に示される根かせ２が固定される柱状体１は、円柱状又は円錐台状を成すもので、例えばコンクリート製電柱等の電柱が挙げられるが、道路標識柱、街灯用柱等であっても良いものである。
【００１６】
図１から図４に示される根かせ２は、根かせ本体３と保持部材４とを少なくとも有して構成されており、このうち、根かせ本体３は、この実施例では例えば横幅の広い直方体的な棒体状をなしているもので、根かせ１が後述する固定装置１５を介して柱状体１に固定された際には、その長手方向の一方側の端面が柱状体１の側面と対峙し、その長手方向の他方側端が柱状体１から最も離れた位置になるように配置される。もっとも、根かせ本体３の形状は、直方体的な棒体状の形状に限定されず、例えば円柱的な棒体状の形状としても良いものである。
【００１７】
保持部材４は、この実施例では、根かせ本体３の横幅よりも若干大きな横幅を有した、根かせ本体３に対し柱状体１の軸方向のうち地表側に位置する上壁部５と、根かせ本体３に対し柱状体１の径方向の両側に位置すると共に上壁部５と連接した側壁部６、６とで構成されており、特に図２（Ｂ）に示されるように地表側とは反対側が開放されたコ字状の形態となっている。
【００１８】
そして、根かせ本体３と保持部材４とは、根かせ本体３の長手方向のうち柱状体１側近傍部位に貫通孔８を設け、この貫通孔８に円柱状の軸部材１０を挿入して両者が相互に回転しないように固着すると共に、保持部材４の側壁部６、６に貫通孔９、９を設けて、この貫通孔９、９に軸部材１０を回転可能に挿通させることで、根かせ本体３が保持部材４に対し柱状体１の軸方向に沿って揺動できるように連結されたものとなっている。
【００１９】
この根かせ本体３の揺動範囲は、上記した保持部材４のコ字状形状より、原則として、上壁部５の内側面に突当する位置（例えば、略水平方向に沿って延びた位置）から柱状体１の側面に突当する位置（例えば、略鉛直方向に沿って延びた位置）までである。
【００２０】
尚、円柱状の軸部材１０の代わりに、根かせ本体３に突起部（図示せず）を設け、この突起部を側壁部６の貫通孔３０に回動可能に挿入するものとしても、側壁部６の内側に突起部（図示せず）を設けると共に、根かせ本体３に挿入孔（図示せず）を設け、この根かせ本体３の挿入孔に側壁部６の突起部を回動可能に挿入するものとしても良い。
【００２１】
また、保持部材４の側壁部６は、軸部材１０を中心点とした円周軌道に沿うように配置された複数（この実施例では２つ）の貫通孔３０を有している。これにより、根かせ本体３について、その長手方向の先端側端部が水平方向より所定角度で下方に向く位置に固定する場合には、例えば図２（Ａ）に示されるように、当該根かせ本体３よりも地表側に位置する貫通孔３０に係止部材３１を挿嵌させる。
【００２２】
これにより、根かせ２を柱状体１と一緒に沈下させる際には、土圧が上方に向いた方向で根かせ本体３にかかるところ、これにより根かせ本体３が水平方向に向けて上方に揺動しようとするのを係止部材３１で止めることができ、所定の根かせ本体３の角度を確保することが可能である。すなわち、根かせ本体３は水平方向に対し下方側に角度が付いているので、柱状体１の沈下時の土質係数を上げることができる。
【００２３】
そして、根かせ２を柱状体１と一緒に抜く際には、土圧が下方に向いた方向で根かせ本体３にかかるところ、根かせ本体３が鉛直方向に向けて下方に揺動することは規制されていないので、根かせ本体３は柱状体１の側面に近接した状態となり、根かせ本体３が抵抗となることを回避することができる。
【００２４】
その一方で、根かせ本体３に挿入孔を設けて、この挿入孔と側壁部６の貫通孔３０とを連通させて、これら挿入孔と貫通孔３０とに係止部材３１を挿入、螺合させるようにしても良い。この場合でも、根かせ本体３は水平方向に対し下方側に角度が付いているので、柱状体１の沈下時の土質係数を上げることができる。また、柱状体１の撤去、交換のために柱状体１を抜柱する際には土質係数を下げることができる。
【００２５】
さらに、保持部材４の側壁部６は、この実施例では、図２（Ａ）に示されるように、後述する固定装置１５が装着可能な切欠き溝１２を有している。この切欠き溝１２は、柱状体１側から当該柱状体１の径方向に沿って延びる溝部１２ａと、この溝部１２ａの途中から下方に向って延びる溝部１２ｂとを有して構成されており、このような切欠き溝１２の形状から、側壁部６は、図２（Ａ）に示されるように、溝部１２ｂの延出方向端側から溝部１２ａ側に向って延びるガイド部１３を有したものとなっている。また、保持部材４の上壁部５は、螺子孔１１が形成されおり、この螺子孔１１は、例えばボルト２５の頭部も収納されるように、上壁部５の外面側が大径孔となっている。
【００２６】
固定装置１５は、根かせ２を柱状体１の側面に固定するための環状体のもので、この実施例では、図４に示されるように、２つの構成部品１６、１６を組み合わせて、その通孔２０ｂにボルト２１を挿通した後、ナット２２をボルト２１に螺合させて固定することで構成されている。但し、３つ以上の構成部品１６で固定装置１５を構成するものとしても良い。
【００２７】
各構成部品１６は、図４に示されるように、柱状体１の径方向に沿って延びる２分の１円の円弧状のプレート状部１７と、このプレート状部１７のうち内縁側から離れた位置より柱状体１の軸方向に沿って下方に延びる突出部１８とを有して構成されている。このプレート状部１７における柱状体１の径方向に沿った幅は、側壁部６に形成された切欠き溝１２の溝部１２ａにおける柱状体１の径方向に沿った幅と略同じであり、突出部１８における柱状体１の軸方向に沿った幅は、側壁部６に形成された切欠き溝１２の溝部１２ｂにおける柱状体１の軸方向に沿った幅と略同じである。
【００２８】
そして、プレート状部１７には、突出部１８よりも外周側となる部位において複数の螺子孔２３が形成されており、これらの螺子孔２３は、根かせ１が固定装置１５に装着された場合に、保持部材４の上壁部５に形成された螺子孔１１と連通しうる位置に形成されている。
【００２９】
これにより、根かせ２の保持部材４の螺子孔１１を、固定装置１５のプレート状部１７の複数の螺子孔２３のうちの１つと連通させてボルト２５で固定させることができる。しかも、このように、プレート状部１７に複数の螺子孔２３が設けられていることから、建柱作業前に保持部材４を固定装置１５のプレート状部１７と仮組み付けしたとしても、図５に示されるように、保持部材４はプレート状部１７上を柱状体１の周方向に沿って動かすことができるため、根かせ本体３が、柱状体１の周面から根かせ本体３の先端が塀の地中部や擁壁の内側面に当たる場合でも、柱状体１の周面から根かせ本体３の先端が塀の地中部や擁壁の内側面に当たらない位置までずらすことができるので、根かせ２の柱状体１への固定作業のやり直しが生ずるのを回避することが可能である。
【００３０】
また、プレート状部１７に複数の根かせ２の保持部材４を、螺子２５を介して固定することができるため、柱状体１の埋設を希望する場所が軟弱な地質の環境にあって、しかも、２つのブロック塀で囲まれた角地や、２辺の擁壁に囲まれた角地などの人工構造３３で挟まれた狭い場所であっても、図６に示されるように、複数の根かせ２が放射状に固定された状態で柱状体１を埋設することが可能であるので、柱状体１の埋設場所の拡大を図ることができる。
【００３１】
図７において、この発明に係る根かせ２の保持部材４における変形例が示されている。この保持部材４は、ガイド部１３が側壁部６よりも外側に向けて且つ柱状体１の周面に沿うように延出したものとなっている。これにより、保持部材４は、ガイド部１３の柱状体１の周面との接触面積が相対的に大きくなるので、この保持部材４を固定装置１５のプレート状部１７に沿って動かす際に、ガタツキなく円滑に動かすことができる。
【図面の簡単な説明】
【００３２】
【図１】図１は、電柱等の柱状体に固定装置を介して根かせが固定された状態を示す説明図である。
【図２】図２は、根かせの保持部材と根かせ本体との連結構造を示した説明図であり、図２（Ａ）はその側方から見た図で、図２（Ｂ）はその正面側から見た図である。
【図３】図３は、根かせが固定装置に連結された状態を示した説明図である。
【図４】図４は、固定装置を電柱等の柱状体に固定する固定を示した説明図であり、柱状体の軸方向の上側から見た図と、柱状体の軸方向の下側から見た図とを半々に示している。
【図５】図５は、根かせの保持部材が固定装置のプレート状部上を柱状体の周面に沿って可動可能であることを示した概略説明図である。
【図６】図６は、人工構造３３で挟まれた狭い場所でも複数の根かせを埋設可能であることを示した概略説明図である。
【図７】図７は、根かせの保持部材の変形例を示した説明図である。
【符号の説明】
【００３３】
１  柱状体
２  根かせ
３  根かせ本体
４  保持部材
１２  切欠き溝
１３  ガイド部
１５  固定装置
１６  構成部品
１７  プレート状部
１８  突出部
【図１】
2009197463.tif 000003
【図２】
2009197463.tif 000004
【図３】
2009197463.tif 000005
【図４】
2009197463.tif 000006
【図５】
2009197463.tif 000007
【図６】
2009197463.tif 000008
【図７】
2009197463.tif 000009